(57)【要約】【課題】  手軽に持ち運びができて、しかもタイムリーなコンテンツを含んだ携帯用本及びその製造方法を提供する。【解決手段】  本発明に係る携帯用本１０は、1枚の用紙が屏風状に折り畳まれてなるものであり、表裏合わせて総計２２ページからなり、その内容（コンテンツ）に依存して右開きとすることも左開きとすることも、また、縦書きとするか横書きとするかも任意に設定変更することが可能である。本発明によれば、知りたい情報のエッセンスがまとめられた1枚の用紙からなる総頁２２ページの携行可能な携帯用本を提供できるので、読みたい情報を、読みたいときに、読みたい場所で、といったユーザ本位のニーズに充分応えることが可能である。【選択図】        図１ 
2005231322.tif 000002
【特許請求の範囲】
【請求項１】
少なくとも１枚の用紙からなる携帯用本であって、
前記用紙が屏風状に折り畳まれてなることを特徴とする携帯用本。
【請求項２】
折り畳まれた際の長手方向の長さと短手方向の長さの比が略２：１であることを特徴とする請求項１記載の携帯用本。
【請求項３】
表裏合わせて総計２２ページからなることを特徴とする請求項１又は２記載の携帯用本。
【請求項４】
前記用紙がラミネートコーティングされていることを特徴とする請求項１から３の何れか１項に記載の携帯用本。
【請求項５】
四六版用紙の短手方向の長さが略３等分となるように長手方向に沿って切断してなる用紙に、所定の文字、図形、記号、挿絵等の何れか又は組み合わせからなる情報を印刷するステップと、
前記印刷された前記用紙が屏風状となるように前記短手方向から前記長手方向に向かって山折りと谷折りを繰り返し１０回行って折り畳むステップと、
を有することを特徴とする携帯用本の製造方法。
【発明の詳細な説明】
【技術分野】
【０００１】
本発明は、軽量で持ち運びが容易な携帯用本及びその製造方法に関する。
【背景技術】
【０００２】
昨今、携帯電話機やインターネットなどの普及により、多種多様なデジタルコンテンツが氾濫している。このようなデジタルコンテンツを閲覧するための電子ブックなるものが巷に出回っているが、デジタルデータは手にとって触ることのできない形のない存在であるが故、人々の心に訴えるメッセージの伝達率も従来の物理的な存在である「本」に比較し、低下しているという現実がある。
【０００３】
このようなデジタルコンテンツの普及目覚しい今日においても、通勤途中のサラリーマンの多くは単行本などの書物を持ち歩くケースが多いことを鑑みると、読書という慣習は広く根付いているものであると言える。
【発明の開示】
【発明が解決しようとする課題】
【０００４】
しかしながら、莫大な書物の中で、自分が欲しい内容の本になかなかたどり着けないことがよくあり、分厚い本の目次一つ分を取り出した本があれば、といった要望があった。
【０００５】
また、分厚くて重たくて高価な本に対しては、ついつい手を引っ込めてしまいがちであるが、薄くて軽くて購入し易い価格設定がなされている本に対しては、自分にとってタイムリーな内容であれば、ついつい手にとってしまう、といった購買感情がある。
【０００６】
そこで、本発明は、上記購買感情を考慮し、手軽に持ち運びができて、しかもタイムリーなコンテンツを含んだ携帯用本及びその製造方法を提供することを目的とするものである。
【課題を解決するための手段】
【０００７】
前記課題を解決するために、本発明の携帯用本は、少なくとも１枚の用紙からなる携帯用本であって、前記用紙が屏風状に折り畳まれてなることを特徴とする。
【０００８】
また、折り畳まれた際の長手方向の長さと短手方向の長さの比が略２：１であるとよく、表裏合わせて総計２２ページからなることを特徴とする。
【０００９】
さらに、前記用紙がラミネートコーティングされていることを特徴とする。
【００１０】
本発明の携帯用本の製造方法は、四六版用紙の短手方向の長さが略３等分となるように長手方向に沿って切断してなる用紙に、所定の文字、図形、記号、挿絵等の何れか又は組み合わせからなる情報を印刷するステップと、前記印刷された前記用紙が屏風状となるように前記短手方向から前記長手方向に向かって山折りと谷折りを繰り返し１０回行って折り畳むステップと、を有することを特徴とする。
【発明の効果】
【００１１】
本発明によれば、知りたい情報のエッセンスがまとめられた1枚の用紙からなる総頁２２ページの携行可能な携帯用本を提供できるので、読みたい情報を、読みたいときに、読みたい場所で、といったユーザ本位のニーズに充分応えることが可能であり、本の良さを再認識させるきっかけ作りとすることが可能である。
【００１２】
また、本発明によれば、片手でも読みやすく、薄くて軽いコンパクトな携帯用本を提供できるので、通勤や旅行といった外出時に簡易に携帯することが可能であり、例えば、女性のハンドバック等にも簡易に収めることができる。
【発明を実施するための最良の形態】
【００１３】
以下、添付図面を参照しながら本発明に係る携帯用本及びその製造方法の実施の形態を詳細に説明する。図１から図６に、本発明に係る携帯用本及びその製造方法の実施例を示す。
【実施例１】
【００１４】
図１は、本発明の実施例である携帯用本の概略構成を示す斜視図である。
図１において、本発明の実施例である携帯用本１０は、1枚の巻物のような長い用紙が屏風状に折り畳まれてなるものであり、表裏合わせて総計２２ページからなる。
なお、本の開き方は、その内容（コンテンツ）に依存するものであり、右開きとするか左開きとするかは任意であると共に、縦書きとするか横書きとするかも当然ながら任意である。
【００１５】
本発明で用いられる用紙は、数百回程度の折り畳みに耐え得る強度を備えるものであれば、その材質は特に限定されるものではなく、塗工紙、非塗工紙、特殊紙を問わず採用することが可能である。
【００１６】
また、総ページ数を２２ページとした場合、文字のサイズにも拠る所はあるものの、４００字詰め原稿用紙で約５０〜６０枚程度の情報（文章量）を掲載することが可能である。統計からすると、通常の読書スピードは、一分間に約５００文字前後と言われている。この場合、表紙、裏表紙を除いた各ページを約２分〜３分程度で読み終えることができる。とすると、約４０分〜６０分、早い人ならば３０分以内で読み終えることが可能である。つまり、本発明により提供する携帯用本は、必要な情報のエッセンスを簡易に、しかも、何時でも、何処でも伝達することができるということが基本コンセプトであるが故、情報量に関しても短時間で必要最低限を伝えることで充分であると考えたため、上記ページ数が相当と考えた上で設定したものである。
【００１７】
図２は、本発明の実施例である携帯用本を展開した様子を示す平面図であり、図３は、ジャバラ状に展開した様子を示す側面図である。
図２及び図３に示すように、本発明の実施例である携帯用本は、展開した際に、５つの谷折線１ａ〜１ｅと、５つの山折線２ａ〜２ｅと、を有している。
なお、折り畳む際に谷折から始めるか、山折から始めるかは、そのコンテンツに依存するものであり、図２及び図３に示す場合は、右開きの本を構成する場合の一例であり、左側に本の題名（タイトルなど）が標記される表表紙面３が設けられ、右側に裏表紙面４が設けられている。
【００１８】
図４は、本発明で用いられる用紙の製造段階における状態を示す平面図である。
本発明に係る携帯用本に用いられる用紙は、元々、図４に示すように、例えば、四六版サイズ（787mm×1091mm）の用紙における短手方向の長さが略３等分となるように、長手方向に沿って平行に切断（点線部を切断）されたものである。
【００１９】
以上のように切断された用紙は、文字、図形、記号、挿絵等の何れか又は組み合わせからなる情報（本のコンテンツ）が所定の形式で印刷された後、当該コンテンツに応じて右開きとするか左開きとするかによって、短手方向から長手方向に沿って各ページが均等な大きさとなるように屏風状に１０回折り畳まれて本の形態を有するに至る。
ここで折り畳んだ際の各ページの大きさは特に限定されるものではないが、原紙を四六版サイズとした場合、縦が略２００ｍｍ、横が略１００ｍｍとなるようにサイズ設定(
縦長さ：横長さ＝２：１）することにより、見た目にスタイリッシュなデザインで持ち運びが簡易な携帯用本とすることができる。このサイズは、通常形態している長尺の財布と略同じ大きさか若干小さめであり、男性の場合にはジャケットの内ポケットに容易に収納可能であり、女性の場合には、小さめなハンドバックであっても充分収納可能なサイズである。
【００２０】
本発明に係る携帯用本の基本コンセプトとしては、何時でも、何処でも、さっと取り出して読むことができ、ぽっかりとあいた待ち時間やコーヒーブレイク（休憩）の際に、また、ちょっとした旅行の際に、というように、持ち運びが軽く、内容はエッセンスを凝縮し、装丁はスタイリッシュに、ということを掲げるものである。
【００２１】
コンテンツの構成に関しては、ターゲット（販売対象）、販売場所、流通経路等を十分に検討した上で製作されることが好ましく、最終的なアウトプットの方法や形をイメージした上でコンテンツを策定することが好ましい。
【００２２】
例えば、コンテンツの一例を以下に示す。
＜具体例１＞
シリーズのテーマ
「再発見、わたしのふるさと」
タイトル例
「郷土の人物」、「郷土の歴史」、「郷土の伝説」、「郷土の料理（食材）、「郷土の風土」
販売場所
「各都道府県の書店や人の集まる場所」、「駅周辺（キオスクなど）」、「学校教材や教養講座の教材」
ターゲット（販売対象）
「地元の小中学校」、「生徒及びその父兄」、「観光客」
流通経路
「通常の書店」、「教育機関等の流通経路」、「自治体」、「教育委員会」、「文化協会」、「商工会議所」、「ホテルや旅館」
特記事項
「民俗学的なものから、町づくりに至るまでの要素」
タイアップの可能性
「各地の教育機関」、「公的機関」
【００２３】
＜具体例２＞
シリーズのテーマ
「雑学好きの受験勉強」、「通学電車でＧＯ」
タイトル例
「映画のせりふで覚える英熟語」、「１日１文。古語で日記を書く」
販売場所
「通常の書店や予備校」
ターゲット（販売対象）
「中高校生」、「予備校生」
流通経路
「通常の書店」、「教育機関等の流通経路」
特記事項
「スタイルを気にする若い世代にアピールするような格好いい体裁の参考書、というコンセプトを強く打ち出して、ちょっとした空き時間にさっと取り出して勉強できるようにする」
タイアップの可能性
「予備校などの教育機関」
【００２４】
＜具体例３＞
また、以下のようなシリーズ構成も読者に受け入れられ易い。
日本の祭りシリーズ
「浅草三社祭」、「京都祇園祭」などの日本の有名な祭りを取り上げるほか、無形民族文化財の指定を受けているものから、地域的、土着的な祭りについてもローカル限定版としての販売することも可能である。
短編小説シリーズ
巷に埋もれている古今の短編小説、全集にしか収録されていない作品。書き下ろし作品。
詩と随筆シリーズ
古今の名詩、エッセイなど。
民話・童話・絵本シリーズ
忘れてほしくない世界の民話・伝承。書き下ろし童話・絵本などの作品など。
ビジネス・サポート・シリーズ
経済、経営、流通、投資など、ビジネス関連のミニ知識など。
お役所入門シリーズ
財務省、文部科学省、厚生労働省などの役所関連のミニ知識など。
短編推理シリーズ
短いものだけれど、それだけ深く充分に楽しめる推理もの。
リフレッシュ・シリーズ
旅、野山歩き、自然、古寺、仏像散策、競馬などの趣味に関連するもの。
知識シリーズ
人々の日常生活の基礎に是非取り入れたい哲学、倫理学、文学など各種人文科学
と自然科学のミニ知識。また、様式美にも着目し、世界の伝統的な知恵や冠婚葬祭
に冠する知識。
【００２５】
図５は、本発明の実施例である携帯用本を収容可能な第１の包装体を示す平面図であり、図６は、第２の包装体を示す平面図である。図５に示す第１の包装体において、右側の斜線部は内方から裏表紙を差込可能な袋体をなしており、本発明に係る携帯用本を携帯時に傷や破損を防止するためのカバーとして用いることができる。また、図６に示す第２の包装体においては、両側の斜線部が内方から表紙或いは裏表紙を差込可能な袋体をなしており、第１の包装体と同様に、携帯用本の携帯時における傷や破損を防止することが可能である。
【００２６】
なお、上述する実施例は、本発明の好適な実施形態の一例であり、本発明の主旨を逸脱しない範囲内において種々変形して実施することが可能である。例えば、用紙に情報を印刷した後、当該用紙をプラスチック製の樹脂材によりラミネートコーティングすることで防水加工を施しておくことで、浴室内でも読書するが可能となる。
【図面の簡単な説明】
【００２７】
【図１】本発明の実施例である携帯用本の概略構成を示す斜視図である。
【図２】本発明の実施例である携帯用本を展開した平面図である。
【図３】本発明の実施例である携帯用本をジャバラ状に展開した側面図である。
【図４】本発明で用いられる用紙の製造段階における状態を示す平面図である。
【図５】本発明の実施例である携帯用本を収容する第１の包装体を示す平面図である。
【図６】本発明の実施例である携帯用本を収容する第２の包装体を示す平面図である。
【符号の説明】
【００２８】
１ａ〜１ｅ  谷折線
２ａ〜２ｅ  山折線
３  表表紙面
４  裏表紙面
１０  携帯用本
【図１】
2005231322.tif 000003
【図２】
2005231322.tif 000004
【図３】
2005231322.tif 000005
【図４】
2005231322.tif 000006
【図５】
2005231322.tif 000007
【図６】
2005231322.tif 000008